【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
ＬＣＤモジュールと、前記ＬＣＤモジュールを駆動するＬＣＤコントローラからなるＬＣＤ駆動システムであって、
複数の色を含む表示データを、データの種類毎に分割して順番かつ周期的にシリアル転送するシリアル転送手段と、
前記シリアル転送手段により分割して順番に転送される表示データを、立ち上がりエッジと立ち下がりエッジで交互にサンプリングするための駆動クロックを転送する駆動クロック転送手段と、
前記シリアル転送手段により転送された表示データを前記駆動クロック転送手段により転送された駆動クロックによりサンプリングするとともに、少なくとも前記周期が到達するまでの間保持する保持手段と、
前記シリアル転送手段により分割して転送され、前記保持手段により保持された複数の表示データを同時にサンプリングすることで、前記シリアル転送手段によりシリアル転送されたシリアルの表示データをパラレルの表示データに変換する変換手段と、
を備えることを特徴とするＬＣＤデータ転送システム。
【請求項２】
前記ＬＣＤモジュールと前記ＬＣＤコントローラとは、前記表示データを転送するための所定数のデータ信号と、前記駆動クロックを転送するための第１のクロック信号と、前記変換手段が前記サンプリングを行うタイミングを転送するための第２のクロック信号で接続されていることを特徴とする請求項１に記載のＬＣＤデータ転送システム。
【請求項３】
前記シリアル転送手段は、複数の色を含む表示データを、色毎に分割して順番かつ周期的にシリアル転送し、
前記駆動クロック転送手段は、立ち上がりエッジと立ち下がりエッジで、各色の表示データを順番にサンプリングするための駆動クロックを転送し、
前記保持手段は、前記シリアル転送手段により転送された各色の表示データをサンプリングして同時に保持し、
前記変換手段は、前記保持手段により保持された各色の表示データを同時にサンプリングすることで、前記シリアル転送手段によりシリアル転送されたシリアルの表示データをパラレルの表示データに変換することを特徴とする請求項２に記載のＬＣＤデータ転送システム。
【請求項４】
前記シリアル転送手段は、３つの色を含む表示データを、色毎に分割して順番かつ周期的にシリアル転送し、
前記第１のクロック信号は、前記表示データを送出したクロックの１／２の周波数のクロックを前記駆動クロックとして転送し、
前記第２のクロック信号は、前記駆動クロックの２／３の周波数のクロックを前記サンプリングを行うタイミングとして転送することを特徴とする請求項３に記載のＬＣＤデータ転送システム。
【請求項５】
前記表示データは、ＱＶＧＡの表示データであることを特徴とする請求項１乃至４のいずれかに記載のＬＣＤデータ転送システム。
【請求項６】
前記表示データは、ＶＧＡの表示データであることを特徴とする請求項１乃至４のいずれかに記載のＬＣＤデータ転送システム。
【請求項７】
前記シリアル転送手段は、複数の色を含む表示データを、上位ビットと下位ビットに分割して順番かつ周期的にシリアル転送し、
前記駆動クロック転送手段は、立ち上がりエッジと立ち下がりエッジで、前記上位ビットの表示データと前記下位ビットの表示データとをそれぞれサンプリングするための駆動クロックを転送し、
前記保持手段は、前記シリアル転送手段により転送された上位ビットと下位ビットの表示データをサンプリングして同時に保持し、
前記変換手段は、前記保持手段により保持された上位ビットと下位ビットの表示データを同時にサンプリングすることで、前記シリアル転送手段によりシリアル転送されたシリアルの表示データをパラレルの表示データに変換することを特徴とする請求項２に記載のＬＣＤデータ転送システム。
【請求項８】
前記シリアル転送手段は、複数の色を含む表示データを、各色のデータと同期信号を含む駆動信号とに分割して順番かつ周期的にシリアル転送し、
前記駆動クロック転送手段は、立ち上がりエッジと立ち下がりエッジで、前記各色のデータと同期信号を含む駆動信号とをそれぞれサンプリングするための駆動クロックを転送し、
前記保持手段は、前記シリアル転送手段により転送された各色のデータと同期信号を含む駆動信号をサンプリングして同時に保持し、
前記変換手段は、前記保持手段により保持された各色のデータと同期信号を含む駆動信号を同時にサンプリングすることで、前記シリアル転送手段によりシリアル転送されたシリアルの表示データから、前記同期信号を含む駆動信号をデコードすることを特徴とする請求項２に記載のＬＣＤデータ転送システム。
【請求項９】
前記ＬＣＤモジュールは、第１のＬＣＤモジュールと第２のＬＣＤモジュールとで構成され、
前記シリアル転送手段は、複数の色を含む表示データを、前記第１のＬＣＤモジュールに対する各色のデータと前記第２のＬＣＤモジュールに対する各色のデータとに分割して順番かつ周期的にシリアル転送し、
前記駆動クロック転送手段は、前記第１及び第２のＬＣＤモジュールの表示データのうちの一方は、前記駆動クロックの立ち上がりエッジでサンプリングし、他方は、前記駆動クロックの立ち下がりエッジでサンプリングするための駆動クロックを転送することを特徴とする請求項２に記載のＬＣＤデータ転送システム。
【請求項１０】
前記ＬＣＤコントローラは、前記第１及び第２のＬＣＤモジュールに対して別々に同期信号を含む駆動信号を供給することを特徴とする請求項９に記載のＬＣＤデータ転送システム。
【請求項１１】
前記ＬＣＤコントローラは、前記第１及び第２のＬＣＤモジュールに対して共通に同期信号を含む駆動信号を供給することを特徴とする請求項９に記載のＬＣＤデータ転送システム。
【請求項１２】
ＬＣＤモジュールと、前記ＬＣＤモジュールを駆動するＬＣＤコントローラからなるＬＣＤ駆動システムであって、
表示データの各色のデータをシリアル転送するシリアル転送手段と、
前記表示データを送出したクロックの１／２の周波数のクロックを駆動クロックとして転送する駆動クロック転送手段と、
前記駆動クロックの立ち上がりエッジと立ち下がりエッジで前記表示データをサンプリングするサンプリング手段と、
前記駆動クロックの２／３の周波数のクロックで前記シリアル転送手段によりシリアル転送されたシリアルの表示データを各色毎にパラレルの表示データに変換する変換手段と、
を備えることを特徴とするＬＣＤデータ転送システム。
【請求項１３】
ＬＣＤモジュールと、前記ＬＣＤモジュールを駆動するＬＣＤコントローラからなるＬＣＤ駆動システムであって、
表示データの各色のデータを上位ビットと下位ビットとに分けてシリアル転送するシリアル転送手段と、
前記表示データを送出したクロックの１／２の周波数のクロックを駆動クロックとして転送する駆動クロック転送手段と、
前記駆動クロックの立ち上がりエッジと立ち下がりエッジで、前記上位ビットの表示データと前記下位ビットの表示データとをそれぞれサンプリングするサンプリング手段と、
前記駆動クロックで前記上位ビットの表示データと前記下位ビットの表示データとを合成する合成手段と、
を備えることを特徴とするＬＣＤデータ転送システム。
【請求項１４】
各色のデータと同期信号を含む駆動信号とを表示データとしてシリアル転送するシリアル転送手段と、
前記表示データを送出したクロックの１／２の周波数のクロックを駆動クロックとして転送する駆動クロック転送手段と、
前記駆動クロックの立ち上がりエッジと立ち下がりエッジで前記表示データをサンプリングするサンプリング手段と、
前記駆動クロックで同期信号を含む駆動信号をデコードするデコード手段と、
を備えることを特徴とするＬＣＤデータ転送システム。
【請求項１５】
第１及び第２のＬＣＤモジュールと、前記第１及び第２のＬＣＤモジュールを駆動するＬＣＤコントローラからなるＬＣＤ駆動システムであって、
前記第１のＬＣＤモジュールに対する表示データの各色のデータと前記第２のＬＣＤモジュールに対する表示データの各色のデータとを含めてシリアル転送するシリアル転送手段と、
前記表示データを送出したクロックの１／２の周波数のクロックを駆動クロックとして転送する駆動クロック転送手段と、
前記駆動クロックの立ち上がりエッジと立ち下がりエッジで前記表示データをサンプリングするサンプリング手段と、を備え、
前記第１及び第２のＬＣＤモジュールのうちの一方は、前記駆動クロックの立ち上がりエッジで前記表示データをサンプリングし、他方は、前記駆動クロックの立ち下がりエッジで前記表示データをサンプリングすることを特徴とするＬＣＤデータ転送システム。
【手続補正２】
【補正対象書類名】明細書
【補正対象項目名】００１２
【補正方法】変更
【補正の内容】
【００１２】
本発明は、ＬＣＤモジュールと、前記ＬＣＤモジュールを駆動するＬＣＤコントローラからなるＬＣＤ駆動システムであって、複数の色を含む表示データを、データの種類毎に分割して順番かつ周期的にシリアル転送するシリアル転送手段と、前記シリアル転送手段により分割して順番に転送される表示データを、立ち上がりエッジと立ち下がりエッジで交互にサンプリングするための駆動クロックを転送する駆動クロック転送手段と、前記シリアル転送手段により転送された表示データを前記駆動クロック転送手段により転送された駆動クロックによりサンプリングするとともに、少なくとも前記周期が到達するまでの間保持する保持手段と、前記シリアル転送手段により分割して転送され、前記保持手段により保持された複数の表示データを同時にサンプリングすることで、前記シリアル転送手段によりシリアル転送されたシリアルの表示データをパラレルの表示データに変換する変換手段と、を備えることを特徴とする。
本発明は更に、前記ＬＣＤモジュールと前記ＬＣＤコントローラとは、前記表示データを転送するための所定数のデータ信号と、前記駆動クロックを転送するための第１のクロック信号と、前記変換手段が前記サンプリングを行うタイミングを転送するための第２のクロック信号で接続されていることを特徴とする。
本発明は更に、前記シリアル転送手段は、複数の色を含む表示データを、色毎に分割して順番かつ周期的にシリアル転送し、前記駆動クロック転送手段は、立ち上がりエッジと立ち下がりエッジで、各色の表示データを順番にサンプリングするための駆動クロックを転送し、前記保持手段は、前記シリアル転送手段により転送された各色の表示データをサンプリングして同時に保持し、前記変換手段は、前記保持手段により保持された各色の表示データを同時にサンプリングすることで、前記シリアル転送手段によりシリアル転送されたシリアルの表示データをパラレルの表示データに変換することを特徴とする。
本発明は更に、前記シリアル転送手段は、３つの色を含む表示データを、色毎に分割して順番かつ周期的にシリアル転送し、前記第１のクロック信号は、前記表示データを送出したクロックの１／２の周波数のクロックを前記駆動クロックとして転送し、前記第２のクロック信号は、前記駆動クロックの２／３の周波数のクロックを前記サンプリングを行うタイミングとして転送することを特徴とする。
本発明は更に、前記表示データは、ＱＶＧＡの表示データであることを特徴とする。
本発明は更に、前記表示データは、ＶＧＡの表示データであることを特徴とする。
本発明は更に、前記シリアル転送手段は、複数の色を含む表示データを、上位ビットと下位ビットに分割して順番かつ周期的にシリアル転送し、前記駆動クロック転送手段は、立ち上がりエッジと立ち下がりエッジで、前記上位ビットの表示データと前記下位ビットの表示データとをそれぞれサンプリングするための駆動クロックを転送し、前記保持手段は、前記シリアル転送手段により転送された上位ビットと下位ビットの表示データをサンプリングして同時に保持し、前記変換手段は、前記保持手段により保持された上位ビットと下位ビットの表示データを同時にサンプリングすることで、前記シリアル転送手段によりシリアル転送されたシリアルの表示データをパラレルの表示データに変換することを特徴とする。
本発明は更に、前記シリアル転送手段は、複数の色を含む表示データを、各色のデータと同期信号を含む駆動信号とに分割して順番かつ周期的にシリアル転送し、前記駆動クロック転送手段は、立ち上がりエッジと立ち下がりエッジで、前記各色のデータと同期信号を含む駆動信号とをそれぞれサンプリングするための駆動クロックを転送し、前記保持手段は、前記シリアル転送手段により転送された各色のデータと同期信号を含む駆動信号をサンプリングして同時に保持し、前記変換手段は、前記保持手段により保持された各色のデータと同期信号を含む駆動信号を同時にサンプリングすることで、前記シリアル転送手段によりシリアル転送されたシリアルの表示データから、前記同期信号を含む駆動信号をデコードすることを特徴とする。
本発明は更に、前記ＬＣＤモジュールは、第１のＬＣＤモジュールと第２のＬＣＤモジュールとで構成され、前記シリアル転送手段は、複数の色を含む表示データを、前記第１のＬＣＤモジュールに対する各色のデータと前記第２のＬＣＤモジュールに対する各色のデータとに分割して順番かつ周期的にシリアル転送し、前記駆動クロック転送手段は、前記第１及び第２のＬＣＤモジュールの表示データのうちの一方は、前記駆動クロックの立ち上がりエッジでサンプリングし、他方は、前記駆動クロックの立ち下がりエッジでサンプリングするための駆動クロックを転送することを特徴とする。
【手続補正３】
【補正対象書類名】明細書
【補正対象項目名】００１３
【補正方法】変更
【補正の内容】
【００１３】
本発明は更に、前記ＬＣＤコントローラは、前記第１及び第２のＬＣＤモジュールに対して別々に同期信号を含む駆動信号を供給することを特徴とする。
【手続補正４】
【補正対象書類名】明細書
【補正対象項目名】００１４
【補正方法】変更
【補正の内容】
【００１４】
本発明は更に、前記ＬＣＤコントローラは、前記第１及び第２のＬＣＤモジュールに対して共通に同期信号を含む駆動信号を供給することを特徴とする。
【手続補正５】
【補正対象書類名】明細書
【補正対象項目名】００１５
【補正方法】変更
【補正の内容】
【００１５】
また、本発明は、ＬＣＤモジュールと、前記ＬＣＤモジュールを駆動するＬＣＤコントローラからなるＬＣＤ駆動システムであって、表示データの各色のデータをシリアル転送するシリアル転送手段と、前記表示データを送出したクロックの１／２の周波数のクロックを駆動クロックとして転送する駆動クロック転送手段と、前記駆動クロックの立ち上がりエッジと立ち下がりエッジで前記表示データをサンプリングするサンプリング手段と、前記駆動クロックの２／３の周波数のクロックで前記シリアル転送手段によりシリアル転送されたシリアルの表示データを各色毎にパラレルの表示データに変換する変換手段と、を備えることを特徴とする。
また、本発明は、ＬＣＤモジュールと、前記ＬＣＤモジュールを駆動するＬＣＤコントローラからなるＬＣＤ駆動システムであって、表示データの各色のデータを上位ビットと下位ビットとに分けてシリアル転送するシリアル転送手段と、前記表示データを送出したクロックの１／２の周波数のクロックを駆動クロックとして転送する駆動クロック転送手段と、前記駆動クロックの立ち上がりエッジと立ち下がりエッジで、前記上位ビットの表示データと前記下位ビットの表示データとをそれぞれサンプリングするサンプリング手段と、前記駆動クロックで前記上位ビットの表示データと前記下位ビットの表示データとを合成する合成手段と、を備えることを特徴とする。
【手続補正６】
【補正対象書類名】明細書
【補正対象項目名】００１６
【補正方法】変更
【補正の内容】
【００１６】
また、本発明は、各色のデータと同期信号を含む駆動信号とを表示データとしてシリアル転送するシリアル転送手段と、前記表示データを送出したクロックの１／２の周波数のクロックを駆動クロックとして転送する駆動クロック転送手段と、前記駆動クロックの立ち上がりエッジと立ち下がりエッジで前記表示データをサンプリングするサンプリング手段と、前記駆動クロックで同期信号を含む駆動信号をデコードするデコード手段と、を備えることを特徴とする。
【手続補正７】
【補正対象書類名】明細書
【補正対象項目名】００１７
【補正方法】変更
【補正の内容】
【００１７】
また、本発明は、第１及び第２のＬＣＤモジュールと、前記第１及び第２のＬＣＤモジュールを駆動するＬＣＤコントローラからなるＬＣＤ駆動システムであって、前記第１のＬＣＤモジュールに対する表示データの各色のデータと前記第２のＬＣＤモジュールに対する表示データの各色のデータとを含めてシリアル転送するシリアル転送手段と、前記表示データを送出したクロックの１／２の周波数のクロックを駆動クロックとして転送する駆動クロック転送手段と、前記駆動クロックの立ち上がりエッジと立ち下がりエッジで前記表示データをサンプリングするサンプリング手段と、を備え、前記第１及び第２のＬＣＤモジュールのうちの一方は、前記駆動クロックの立ち上がりエッジで前記表示データをサンプリングし、他方は、前記駆動クロックの立ち下がりエッジで前記表示データをサンプリングすることを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】